(57)【要約】【課題】  余剰汚泥を効率的に減量化する余剰汚泥減量化設備を提供する。【解決手段】  余剰汚泥Ｓを一時的に貯留し、散気装置１１および送入ポンプ１２を備える汚泥貯留槽１０と、汚泥貯留槽１０の余剰汚泥Ｓが、送入ポンプ１２によって自動的に供給され、底部に超微細気泡装置７１を備えたオゾン混和槽７０と、オゾン混和槽７０の余剰汚泥Ｓが供給され、内部である消化分解槽２１に、濾過膜群２２と散気泡装置２３を備えた消化分解装置２０と、オゾン混和槽７０の超微細気泡装置７１に、オゾンを供給するオゾン発生機３０と、濾過膜群２２に接触した処理水Ｗを、内部に設けた殺菌処理装置４１を通して一時的に貯留した後、放流する処理水貯留槽４０と、オゾン混和槽７０および消化分解槽２１で溶解しなかった排オゾンを、規定濃度以下に処理して放出する排オゾン除去装置５０とで構成する。【選択図】      図１
2009082784.tif 000002
【特許請求の範囲】
【請求項１】
生活排水や産業排水を排水処理設備で処理した際に発生する余剰汚泥を連続的に処理する設備であって、少なくとも、余剰汚泥を一時的に貯留し，内部に，散気装置および送液量調整用タイマーで作動する送入ポンプを備える汚泥貯留槽と、前記汚泥貯留槽の余剰汚泥が，前記送入ポンプによって自動的に供給され，底部に超微細気泡装置を備えたオゾン混和槽と、前記オゾン混和槽の余剰汚泥が供給され，内部である消化分解槽に，濾過膜群と，上昇気泡が該濾過膜群に接触する散気泡装置とを備えた消化分解装置と、前記オゾン混和槽の超微細気泡装置に，オゾンを第一ブロワーから供給される空気と共に供給するオゾン発生機と、前記濾過膜群を通過した処理水を，内部に設けた殺菌処理装置を通して一時的に貯留した後，放流する処理水貯留槽と、前記オゾン混和槽および消化分解槽で溶解しなかった排オゾンを，規定濃度以下に処理して放出する排オゾン除去装置と、を備えてなる余剰汚泥減量化設備。
【請求項２】
オゾン混和槽の上端部と消化分解槽との間に、前記オゾン混和槽で発生した泡を消すべく、前記消化分解槽の汚水を前記オゾン混和槽に、先端部に設けたスプレーノズルを介して供給する汚水循環管と、前記オゾン混和槽の消え残った泡を、前記消化分解槽に供給する泡移送管とを設けてなる請求項１に記載の余剰汚泥減量化設備。
【請求項３】
濾過膜群を、ゼノン膜，浸漬型平膜、エレメント型セラミック膜、および浸漬型セラミック膜のうち、少なくともいずれか１つを含む膜で構成してなる請求項１または２に記載の余剰汚泥減量化設備。
【請求項４】
生活排水や産業排水を排水処理設備で処理した際に発生する余剰汚泥を連続的に処理する設備であって、少なくとも、余剰汚泥を一時的に貯留し，内部に，散気装置および送液量調整用タイマーで作動する送入ポンプを備える汚泥貯留槽と、前記汚泥貯留槽の余剰汚泥が，前記送入ポンプによって自動的に供給され，底部に超微細気泡装置を備えたオゾン混和槽と、前記オゾン混和槽の余剰汚泥が供給され，内部である消化分解槽に，濾過膜群と，上昇気泡が該濾過膜群に接触する散気泡装置とを備えた消化分解装置と、前記オゾン混和槽の超微細気泡装置に，オゾンを第一ブロワーから供給される空気と共に供給するオゾン発生機と、前記濾過膜群を通過した処理水を，内部に設けた殺菌処理装置を通して一時的に貯留した後，放流する処理水貯留槽と、前記オゾン混和槽および消化分解槽で溶解しなかった排オゾンを，規定濃度以下に処理して放出する排オゾン除去装置と、
前記オゾン混和槽の上端部と消化分解槽との間に設けられ，前記オゾン混和槽で発生した泡を消すべく，前記消化分解槽の汚水を前記オゾン混和槽に，先端部に設けたスプレーノズルを介して供給する汚水循環管と、前記オゾン混和槽の上端部と消化分解槽との間に設けられ，前記オゾン混和槽の消え残った泡を，前記消化分解槽に供給する泡移送管と、前記濾過膜群閉塞時に，該濾過膜群に強力洗浄用次亜塩素を供給する膜洗浄管と、を備えており、前記濾過膜群を，ゼノン膜，浸漬型平膜，エレメント型セラミック膜，および浸漬型セラミック膜中の少なくともいずれか１つを含む膜で構成してなる余剰汚泥減量化設備。
【発明の詳細な説明】
【技術分野】
【０００１】
本発明は、生活排水や産業排水を排水処理設備で処理した際に発生する余剰汚泥を効率的に減量化すると共に、より清浄化した処理水を放流することのできる余剰汚泥減量化設備に関するものである。
【背景技術】
【０００２】
生活排水や産業排水は、通常、標準活性汚泥法や膜分離活性汚泥法によって処理されるが、その際、主として汚泥微生物からなる余剰汚泥が発生する。近年、この余剰汚泥の最終処分場が減少しており、その分、処分費用が高騰し、企業などにとって大きな負担となっている。
【０００３】
これまで、この余剰汚泥を減量化する装置が種々創案され使用されているが、減量化効率などの点でさらなる改善が望まれている。また、従来の設備は、余剰汚泥を処理するための脱水機、乾燥機、焼却機などの装置を必要としており、これらは二酸化炭素を排出し、環境汚染に繋がるので好ましくない。従って、こうした装置を不要とすることも望まれる。また、余剰汚泥を減量化した後の処理水を、さらに清浄化して放流することも望まれる。
【０００４】
こうした点に鑑み、本発明者は、これまでにオゾンを利用して余剰汚泥を減量化する装置を発明している。（特許文献１参照）。
【特許文献１】特開２００７−１１７７９６号公報  この設備は、汚泥貯留槽、消化分解装置およびオゾン発生機を備え、消化分解装置によって余剰汚泥の減量化を図っている。
【発明の開示】
【発明が解決しようとする課題】
【０００５】
この従来の余剰汚泥減量化設備は、それまでの装置とは異なり、脱水機、乾燥機、焼却機などを使用しないので、二酸化炭素を排出せず、環境保全の上できわめて優れているといった特徴を有する。
【０００６】
しかし、この余剰汚泥減量化設備は、実質的に消化分解装置のみによって余剰汚泥の減量化を行っているので、その処理能力に自ずと限界があり、従って、処理能力のさらに高い設備の出現が望まれる。また、余剰汚泥は、その発生元によって濃度が異なり、従って、消化分解装置のみによって単一的に処理するだけでは、充分でない場合が生じる。さらに、余剰汚泥はオゾンと接触することによって、処理能力の減退にもつながる大量の泡を発生させるが、この泡を消すための機能が充分とは言えなかった。
【０００７】
本発明はこうした問題に鑑み創案されたもので、種々の余剰汚泥をより効率的に、かつその種類に応じて充分に減量化し、より清浄化した処理水を放流することができ、さらに効果的な消泡機能を備えた余剰汚泥減量化設備を提供することを課題とする。
【課題を解決するための手段】
【０００８】
図１および図２を参照して説明する。請求項１に記載の余剰汚泥減量化設備１は、生活排水や産業排水を排水処理設備で処理した際に発生する余剰汚泥Ｓを連続的に処理する設備であって、少なくとも、余剰汚泥Ｓを一時的に貯留し、内部に、散気装置１１および送液量調整用タイマー１３で作動する送入ポンプ１２を備える汚泥貯留槽１０と、前記汚泥貯留槽１０の余剰汚泥Ｓが、前記送入ポンプ１２によって自動的に供給され、底部に超微細気泡装置７１を備えたオゾン混和槽７０と、前記オゾン混和槽７０の余剰汚泥Ｓが供給され、内部である消化分解槽２１に、濾過膜群２２と，上昇気泡が該濾過膜群２２に接触する散気泡装置２３とを備えた消化分解装置２０と、前記オゾン混和槽７０の超微細気泡装置７１に、オゾンを第一ブロワー３２から供給される空気と共に供給するオゾン発生機３０と、前記濾過膜群２２を通過した処理水Ｗを、内部に設けた殺菌処理装置４１を通して一時的に貯留した後、放流する処理水貯留槽４０と、前記オゾン混和槽７０および消化分解槽２１で溶解しなかった排オゾンを、規定濃度以下に処理して放出する排オゾン除去装置５０と、を備えてなるものである。
【０００９】
請求項２に記載の余剰汚泥減量化設備は、請求項１に記載の発明において、オゾン混和槽７０の上端部と消化分解槽２１との間に、前記オゾン混和槽７０で発生した泡を消すべく、前記消化分解槽２１の汚水を前記オゾン混和槽７０に、先端部に設けたスプレーノズル８１を介して供給する汚水循環管８０と、前記オゾン混和槽７０の消え残った泡を、前記消化分解槽２１に供給する泡移送管８３とを設けてなるものである。
【００１０】
請求項３に記載の余剰汚泥減量化設備１は、請求項１または２に記載の発明において、濾過膜群２２を、ゼノン膜、浸漬型平膜、エレメント型セラミック膜、および浸漬型セラミック膜のうちの少なくともいずれか１つを含む膜で構成してなるものである。
【００１１】
請求項４に記載の余剰汚泥減量化設備１は、生活排水や産業排水を排水処理設備で処理した際に発生する余剰汚泥Ｓを連続的に処理する設備であって、少なくとも、余剰汚泥Ｓを一時的に貯留し、内部に、散気装置１１および送液量調整用タイマー１３で作動する送入ポンプ１２を備える汚泥貯留槽１０と、前記汚泥貯留槽１０の余剰汚泥Ｓが、前記送入ポンプ１２によって自動的に供給され、底部に超微細気泡装置７１を備えたオゾン混和槽７０と、前記オゾン混和槽７０の余剰汚泥Ｓが供給され、内部である消化分解槽２１に、濾過膜群２２と，上昇気泡の一部が該濾過膜群２２に接触する散気泡装置２３とを備えた消化分解装置２０と、前記オゾン混和槽７０の超微細気泡装置７１に、オゾンを第一ブロワー３２から供給される空気と共に供給するオゾン発生機３０と、前記濾過膜群２２を通過した処理水Ｗを、内部に設けた殺菌処理装置４１を通して一時的に貯留した後、放流する処理水貯留槽４０と、前記オゾン混和槽７０および消化分解槽２１で溶解しなかった排オゾンを、規定濃度以下に処理して放出する排オゾン除去装置５０と、前記オゾン混和槽７０の上端部と消化分解槽２１との間に設けられ、前記オゾン混和槽７０で発生した泡を消すべく、前記消化分解槽２１の汚水を前記オゾン混和槽７０に、先端部に設けたスプレーノズル８１を介して供給する汚水循環管８０と、前記オゾン混和槽７０の上端部と消化分解槽２１との間に設けられ、前記オゾン混和槽７０の消え残った泡を、前記消化分解槽２１に供給する泡移送管８３と、前記濾過膜群２２閉塞時に、該濾過膜群２２に強力洗浄用次亜塩素を供給する膜洗浄管６０と、を備えてなる。
【００１２】
また、前記濾過膜群２２を、ゼノン膜、浸漬型平膜、エレメント型セラミック膜、および浸漬型セラミック膜中の少なくともいずれか１つを含む膜で構成してなるものである。
【発明の効果】
【００１３】
請求項１に記載の余剰汚泥減量化設備１は、余剰汚泥Ｓをオゾンなどの働きによって効率的に減量化することができると共に、濾過膜群２２などの働きによって、その後の処理水Ｗをより清浄化して放流することができる。
【００１４】
すなわち、余剰汚泥Ｓが供給されたオゾン混和槽７０の超微細気泡装置７１に、オゾン発生機３０によって発生させたオゾンを供給するので、余剰汚泥Ｓは、超微細気泡化されたオゾンに接触することによって酸化して生物分解し易い有機物へ変化し、さらに、接触を続けることによって炭酸ガスと水（処理水Ｗ）に分解される。従って、余剰汚泥Ｓは、このオゾン混和槽７０において効率的に低濃度化されて減量化される。
【００１５】
オゾン混和槽７０で低濃度化された余剰汚泥Ｓは、消化分解装置２０の内部（消化分解槽２１）に送られ、散気泡装置２３から供給される気泡に接触して酸化分解される。このとき、余剰汚泥Ｓは、オゾン混和槽７０においてオゾンと接触することによって、ある程度分解され、低濃度化されているので、消化分解槽２１における酸化分解はきわめて効率的に行われる。
【００１６】
特に、高濃度の余剰汚泥Ｓを処理する場合は、オゾン混和槽７０である程度長い時間（例えば１〜３時間）をかけてオゾンに接触させて消化分解槽２１で活性汚泥と接触させて、酸化分解することにより、充分な処理を行うことができる。なお、低濃度の余剰汚泥Ｓの場合は、オゾン混和槽７０と消化分解槽２１での処理時間を短縮することによって、処理効率を向上させることができる。
【００１７】
また、処理水Ｗは、消化分解槽２１の濾過膜群２２を通過して濾過された後、殺菌処理装置４１で殺菌処理され、放流されるので、より浄化した処理水Ｗを放流することができる。
【００１８】
なお、汚泥貯留槽１０では、散気装置１１によって空気を供給し、余剰汚泥Ｓを曝気するので当該余剰汚泥Ｓを構成する汚泥微生物を活性化させ、オゾン混和槽７０および消化分解槽２１での効率的な減量化に寄与する。また、汚泥貯留槽１０に設けた送液量調整用タイマー１３によって作動する送入ポンプ１２によって、余剰汚泥Ｓを連続的（定期的）にオゾン混和槽７０に供給するので、余剰汚泥Ｓの減量化を、効率良く行うことができる。
【００１９】
なお、オゾン混和槽７０および消化分解槽２１で溶解しなかった排オゾンは、排オゾン除去装置５０によって規定濃度例えば０．１ｐｐｍ以下に処理されて放出されるので、環境汚染などの問題は発生しない。
【００２０】
また、この発明は、オゾンを利用して余剰汚泥Ｓの減量化、ひいてはその全てを消滅させることができるので、従来、余剰汚泥Ｓを処理するために必要であった脱水機、乾燥機、焼却機などの設備を不要とすることができる。従って、環境を汚染しない。さらに、オゾンを利用するので、高濃度余剰汚泥Ｓの放つ悪臭もなくすことができる。
【００２１】
請求項２に記載の余剰汚泥減量化設備は、請求項１に記載の発明と同様の効果を発揮する。また、オゾン混和槽７０の上端部と消化分解槽２１との間に、先端部にスプレーノズル８１を設けた汚水循環管８０と泡移送管８３を設けているので、オゾン混和槽７０で発生した泡を効果的に消すことができる。
【００２２】
すなわち、オゾン混和槽７０において余剰汚泥Ｓがオゾンに接触することで泡が発生するが、その泡を、汚水循環管８０によって消化分解槽２１の汚水を汲み上げてオゾン混和槽７０に供給することによって消すことができる。また、汚水循環管８０の先端部にはスプレーノズル８１を設けているので、汚水を分散させることができ、これによって、より効果的に泡を消すことができる。その結果、大量の泡によって余剰汚泥Ｓの処理能力が低減するといった事態を防止することができる。
【００２３】
また、オゾン混和層で消え残った泡がある場合、その泡は、泡移送管８３によって消化分解槽２１に送られ、そこで活性化された余剰汚泥Ｓに接触することによって消滅する。こうした汚水循環管８０と泡移送管８３によって、オゾン混和槽７０で発生した泡を効果的に消すことができる。
【００２４】
請求項３に記載の余剰汚泥減量化設備１は、請求項１および２に記載の発明と同様に、余剰汚泥Ｓを効率的に減量化し、その後の処理水Ｗをより浄化した状態で放流することができる。また、オゾン混和槽７０で発生した泡を効果的に消すことができる。
【００２５】
また、濾過膜群２２を、ゼノン膜、浸漬型平膜、エレメント型セラミック膜、および浸漬型セラミック膜の４つのうち、少なくとも１つ以上の膜によって構成しているので、濾過能力に優れ、より清浄化した処理水Ｗを放流することができる。
【００２６】
請求項４に記載の余剰汚泥減量化設備１は、請求項１乃至３に記載の発明と同様に、余剰汚泥Ｓを効率的に減量化することができると共に、その後の処理水Ｗをより浄化した状態で放流することができる。また、泡を効果的に消すことができる。
【００２７】
また、この設備は、濾過膜群２２に、強力洗浄用次亜塩素を供給するための膜洗浄管６０を設けているので、散気泡装置２３から上昇するオゾン含有空気の超微細気泡によって洗浄されずに閉塞した当該濾過膜群２２を確実に洗浄することができる。この次亜塩素は、汚泥微生物の細胞の核まで溶かして殺菌する能力を有するので、濾過膜群２２の目詰まりの原因となる汚泥微生物を全て除去することができる。
【発明を実施するための最良の形態】
【００２８】
本発明に係る余剰汚泥減量化設備１の実施形態を、図１および図２に示す。これは、生活排水や産業排水を排水処理設備で処理した際に発生する高濃度の余剰汚泥Ｓを連続的に処理する設備であり、汚泥貯留槽１０、オゾン混和槽７０、消化分解装置２０、オゾン発生機３０、処理水貯留槽４０、排オゾン除去装置５０、および膜洗浄管６０を備える。また、それらに加えて、汚水循環管８０と泡移送管８３を備える。なお、図中、符号Ｖはバルブを示す。
【００２９】
汚泥貯留槽１０は、搬送されてきた余剰汚泥Ｓが投入され、その余剰汚泥Ｓを一時的に貯留するもので、内部に、散気装置１１、および送液量調整用タイマー１３で作動する送入ポンプ１２を備えている。この散気装置１１には、送風機１４から空気が供給される。
【００３０】
オゾン混和槽７０は、汚泥貯留槽１０の余剰汚泥Ｓが、送液量調整用タイマー１３によって作動する送入ポンプ１２によって自動的に供給されるものである。また、底部に超微細気泡装置７１を備えている。
【００３１】
消化分解装置２０は、オゾン混和槽７０の余剰汚泥Ｓが、汚泥移送管７２を通って供給されるものである。なお、この余剰汚泥Ｓの供給は、オゾン混和槽７０内の余剰汚泥Ｓの水頭圧によって行っているが、ポンプなどによって機械的に行うこともできる。この消化分解装置２０は、その内部である消化分解槽２１に、濾過膜群２２と、その直下に配置され、上昇気泡が接触する散気泡装置２３を備えている。濾過膜群２２は、ゼノン膜、浸漬型平膜、エレメント型セラミック膜、および浸漬型セラミック膜の濾過膜のうち、少なくとも１つの膜で構成している。
【００３２】
オゾン発生機３０は、高濃度のオゾンを発生させ、オゾン混和槽７０に供給する。なお、このオゾンは、第一ブロワー３２から供給される空気と混合され、混合管３１を通して超微細気泡装置７１に供給され、そこで超微細な気泡とされてオゾン混和槽７０の下部から供給され、余剰汚泥Ｓに効果的に接触する。
【００３３】
処理水貯留槽４０は、濾過膜群２２を通過してＢＯＤ５ｍｇ／リットル以下に清浄化された処理水Ｗを、内部に設けた殺菌処理装置４１によって殺菌した後、一時的に貯留し、その後、処理水Ｗとして放流するものである。
【００３４】
排オゾン除去装置５０は、オゾン混和槽７０および消化分解槽２１で溶解しなかった排オゾンを、労働衛生基準で定められた濃度である規定値である０．１ｐｐｍ以下に処理して放出する。
【００３５】
汚水循環管８０は、オゾン混和槽７０の上端部と消化分解槽２１の底部との間に設けられ、消化分解槽２１の底部に溜まった汚水（汚泥を含む）をオゾン混和槽７０に、先端部に設けたスプレーノズル８１を介して供給する。この汚水は、汚水循環管８０の下端部に設けた循環ポンプ８２によって送られる。泡移送管８３は、オゾン混和槽７０の上端部に存在する、消えずに残った泡を、消化分解槽２１に供給するものである。この泡は、泡自体の発生および分散力を利用して泡移送管８３を移動させ消化分解槽２１まで到達させているが、ポンプなどの機械的手段で送ることもできる。
【００３６】
本実施形態に係る余剰汚泥減量化設備１の作用について説明する。まず、汚泥貯留槽１０に貯留された余剰汚泥Ｓを、送液量調整用のタイマー１３で定期的に作動する送入ポンプ１２によってオゾン混和槽７０に供給する。なお、汚泥貯留槽１０では、送風機１４から散気装置１１に空気を送り、当該空気を散気して余剰汚泥Ｓに接触させ、その活性化を図る。
【００３７】
次に、オゾン発生機３０で発生させたオゾンと、第一ブロワー３２からの空気を混合管３１で混合させた後、オゾン混和槽７０に設けた超微細気泡装置７１に供給し、そこで超微細の気泡を発生させて散気し、余剰汚泥Ｓに接触させる。これにより、余剰汚泥Ｓはオゾンと接触して有機物へと変化し、さらにオゾンと長く接触することにより炭酸ガスと水（処理水Ｗ）に分解される。従って、余剰汚泥Ｓは効率的に低濃度化されると共に減量化される。なお、第一ブロワー３２からの空気は、空気移送管３３を通して供給し、当該空気移送管３３には、余剰の空気を放出するための空気逃がし管３４を設けている。
【００３８】
オゾン混和槽７０で低濃度化された余剰汚泥Ｓは、その水頭圧によって汚泥移送管７２を通り、消化分解槽２１に送られる。余剰汚泥Ｓは、ここで、散気泡装置２３から供給される気泡に接触してさらに酸化分解され、減量化される。なお、散気泡装置２３には、第二ブロワー２６から空気を供給する。
【００３９】
また、処理水Ｗは、濾過膜群２２に接触した後、電動弁４３を，送液量調整用タイマー４４で制御された処理水量が殺菌処理装置４１で殺菌処理され処理水貯留槽４０に一時的に貯留され、その後、放流される。この処理水Ｗは、濾過膜群２２に接触し、さらに殺菌処理装置４１で殺菌処理されているので、清浄である。なお、処理水Ｗは、消化分解槽２１内に作用する水頭圧によって濾過膜群２２を通過し、殺菌処理装置４１に送られる。
【００４０】
なお、オゾン混和槽７０および消化分解槽２１に残存したオゾン（排オゾン）は、排オゾン移送管５１を通って排オゾン除去装置５０に達し、そこで０．１ｐｐｍ以下の濃度に処理され、排出される。この排出は、圧送ファン５２、ダンパー５３、排オゾン排出管５４によって行われる。なお、排オゾン除去装置５０には、高濃度オゾン分解触媒材５５を設けている。
【００４１】
また、この余剰汚泥減量化設備１は、オゾン混和槽７０の上端部と消化分解槽２１の下端部との間に、先端部にスプレーノズル８１を設けた汚水循環管８０と泡移送管８３を設けているので、消化分解槽２１の汚水を泡の上から散水することによって、オゾン混和槽７０で発生した泡を効果的に消すことができる。また、オゾン混和層で消え残った泡は、泡移送管８３によって消化分解槽２１に送られ、そこで活性化された余剰汚泥Ｓに接触するのことによって消滅する。これにより、オゾン混和槽７０で発生した泡を効果的に消すことができるので、余剰汚泥Ｓをさらに効率的に処理することができる。
【００４２】
なお、本実施形態では、濾過膜群２２の閉塞時に当該濾過膜群２２を浄化するために、次亜塩素を供給するための膜洗浄管６０を設けている。この膜洗浄管６０は、処理水Ｗを殺菌処理装置４１に供給するための処理水管４２に連通させている。処理水管４２には送水量調整用タイマー４４によって定期的に作動する電動弁４３を設けており、この電動弁４３の開閉により処理水Ｗを制御している。例えば、８分間流した後、２分間停止し、その間、散気泡装置２３から供給される上昇気泡により濾過膜群２２を洗浄する。それでもなお、濾過膜群２２の閉塞が起きたときには、電動弁４３を閉じ、膜洗浄管６０から次亜塩素を供給して、濾過膜群２２を洗浄する。
【００４３】
なお、本実施形態では、汚泥貯留槽１０と消化分解槽２１との間に逆送管２５を設け、消化分解槽２１でオーバーフローした余剰汚泥Ｓを、汚泥貯留槽１０に戻している。また、オゾン混和槽７０と消化分解装置２０に点検キャップ７３，２４を設けた点検口を形成し、余剰汚泥Ｓの濃度を測定するようにしている。
【図面の簡単な説明】
【００４４】
【図１】本発明に係る余剰汚泥減量化設備の実施形態を示す一部断面側面構成図である。
【図２】図１に示す余剰汚泥減量化設備の一部断面平面構成図である。
【符号の説明】
【００４５】
１         余剰汚泥減量化設備
１０       汚泥貯留槽
１１       散気装置
１２       送入ポンプ
１３       送液量調整用タイマー
１４       送風機
２０       消化分解装置
２１       消化分解槽
２２       濾過膜群
２３       散気泡装置
２４       点検キャップ
２５       逆送管
２６       第二ブロワー
３０       オゾン発生機
３１       混合管
３２       第一ブロワー
３３       空気移送管
３４       空気逃がし管
４０       処理水貯留槽
４１       殺菌処理装置
４２       処理水管
４３       電動弁
４４       送水量調整用タイマー
５０       排オゾン除去装置
５１       排オゾン移送管
５２       圧送ファン
５３       ダンパー
５４       排オゾン排出管
５５       高濃度オゾン分解触媒材
６０       膜洗浄管
７０       オゾン混和槽
７１       超微細気泡装置
７２       汚泥移送管
７３       点検キャップ
８０       汚水循環管
８１       スプレーノズル
８２       循環ポンプ
８３       泡移送管
Ｓ         余剰汚泥
Ｖ         バルブ
Ｗ         処理水
【図１】
2009082784.tif 000003
【図２】
2009082784.tif 000004